(57)【要約】      （修正有）【課題】水田への灌漑用の水車と小型の風力発電用発電機を結合して発電をおこなう発電装置を提供する。【解決手段】水車を利用する発電装置は、既存の水車に変速機を装備し、これから小型風力発電用の発電機にＶベルト、チェーン等により駆動力を伝達して発電するようにした。これにより、水車により水力を駆動力に変換し、これを既存の小型発電機に伝達して発電するため、風致景観に資するとともに、自然エネルギーである用水路や河川の水流をエネルギー源として活用することが可能となった。なお、変速機はトルクは大きいが回転速度は小さい水車の回転を、高速回転に変換するもので、通常の歯車機構、ギア機構や遊星歯車機構などが好適に用いられる。【選択図】図１
0003181034.tif 000002
【実用新案登録請求の範囲】
【請求項１】
水車の回転軸に変速機を装備し、これから小型風力発電用の発電機にVベルト或いはチェーンにより駆動力を伝達して、小型発電機により発電することを特徴とする、水車を利用する発電装置。
【請求項２】
水車の回転軸に変速機を装備し、これから小型風力発電用の発電機にVベルト或いはチェーンにより駆動力を伝達して、小型発電機により発電することを特徴とする水車を利用する発電装置において、小型風力発電機に風力発電用の羽根をも装着し、風力によるエネルギーも併用して発電することを特徴とする、水車を利用する発電装置。
【請求項３】
水車の回転軸に変速機を装備し、これから小型風力発電用の発電機にVベルト或いはチェーンにより駆動力を伝達して、小型発電機により発電することを特徴とする水車を利用する発電装置において、駆動力を伝達して回転させる羽根を備え、該羽根を回転させることで起風して、小型風力発電機に送風して発電するとともに、送風される風をビニールハウスの換気等にも利用することを特徴とする、水車を利用する発電装置。
【請求項４】
水車の回転軸に変速機を装備し、これから小型風力発電用の発電機にVベルト或いはチェーンにより駆動力を伝達して、小型発電機により発電することを特徴とする水車を利用する発電装置において、小型風力発電用の発電機にVベルト或いはチェーンにより駆動力を伝達して発電する装置を、傾斜地の水路に於いて多段に設置することを特徴とする、水車を利用する発電装置。
【考案の詳細な説明】
【技術分野】
【０００１】
本考案は、水車を利用する発電装置に関するものである。
【背景技術】
【０００２】
従来、水力発電は大規模なものが多く、ダムを建設する等を含むものは別にしても、専用の水路を用いるものが多かった。また、簡易な小電力水力発電機等も用いられていたが、これらは河川等で用いるものであった。
【０００３】
国内の水田地帯に於いては、古来水車が灌漑用に設置され、活用されていた。これら水車は日本の農村の原風景の一部として風致景観上も重要である。
【０００４】
しかし、最近は水車は実用としては殆ど利用されておらず、放置されたり撤去されて、次々と姿を消しているのが現状である。
【０００５】
東日本大震災を契機として省エネルギーの機運が高まり、さらには原子力発電からの脱却と自然エネルギーの活用が叫ばれる昨今、水車を活用して効率的な発電を行うことは、前記の風致景観上の効果も含めて非常に重要であると考えられる。しかし、水車を有効に活用して発電及び他の用途に用いる技術は殆ど顧みられていなかった。
【先行技術文献】
【特許文献】
【０００６】
【特許文献１】特開平１１−４４２８８号公報
【特許文献２】特開２００５−２４５１２４号公報
【特許文献３】特開２００８−２９１８３７号公報
【特許文献４】特開２０１０−１７４８７８号公報
【考案の概要】
【考案が解決しようとする課題】
【０００７】
解決しようとする問題点は、水車を活用して発電或いはその他のエネルギー源として有効利用し、併せて日本の田園風景を回復せんとする点である。
【課題を解決するための手段】
【０００８】
本考案は、既存の水車に変速機を装備し、これから小型風力発電用の発電機にVベルト、チェーン等により駆動力を伝達して発電することを最も主要な特徴とする。
【０００９】
また本考案は、既存の水車に変速機を装備し、これから小型風力発電用の発電機にVベルト、チェーン等により駆動力を伝達して発電するとともに、小型風力発電機に風力発電用の羽根をも装着し、風力によるエネルギーも併用して発電することを特徴とする。
【００１０】
さらに本考案は、既存の水車に変速機を装備し、Vベルト、チェーン等により駆動力を伝達して羽根を回転させることで起風して、小型風力発電機に送風して発電するとともに、送風される風をビニールハウスの換気等にも利用することを特徴とする。
【００１１】
さらに本考案は、既存の水車に変速機を装備し、これから小型風力発電用の発電機にVベルト、チェーン等により駆動力を伝達して発電する装置を、傾斜地の水路に於いて多段に設置することを特徴とする。
【考案の効果】
【００１２】
本考案の水車を利用する発電装置は、既存の水車に変速機を装備し、これから小型風力発電用の発電機にVベルト、チェーン等により駆動力を伝達して発電するので、水車を活用して発電或いはその他のエネルギー源として有効利用し、併せて日本の田園風景を回復出来るという利点がある。
【００１３】
また本考案の水車を利用する発電装置は、既存の水車に変速機を装備し、これから小型風力発電用の発電機にVベルト、チェーン等により駆動力を伝達して発電するとともに、小型風力発電機に風力発電用の羽根をも装着し、風力によるエネルギーも併用して発電することにより、自然エネルギーをさらに有効利用出来るという利点がある。
【００１４】
また本考案の水車を利用する発電装置は、既存の水車に変速機を装備し、Vベルト、チェーン等により駆動力を伝達して羽根を回転させることで起風して、小型風力発電機に送風して発電するとともに、送風される風をビニールハウスの換気等にも利用することにより、自然エネルギーをさらに有効利用出来るという利点がある。
【００１５】
また本考案の水車を利用する発電装置は、、既存の水車に変速機を装備し、これから小型風力発電用の発電機にVベルト、チェーン等により駆動力を伝達して発電する装置を、傾斜地の水路に於いて多段に設置することにより、自然エネルギーをさらに有効利用出来るという利点がある。
【図面の簡単な説明】
【００１６】
【図１】図１は水車を利用する発電装置の実施方法を示した図面代用写真である。（実施例１）
【図２】図２は水車を利用する発電装置の実施方法のうち、発電機への動力伝達部を示した図面代用写真である。
【考案を実施するための形態】
【００１７】
本考案は、自然エネルギーの有効利用と風致景観の維持に寄与するという目的を、既存の水車に変速機を装備し、これから小型風力発電用の発電機にVベルト、チェーン等により駆動力を伝達して発電することにより実現した。
【実施例１】
【００１８】
図１は、本考案にかかる水車を利用する発電装置の実施方法を示した図面代用写真である。本考案は伝統的な水車を活用し、日本の田園風景の象徴である水車を維持活用することで風致景観に資するとともに、自然エネルギーである用水路や河川の水流をエネルギー源として発電を行い、主に農業等に活用することで、エコロジー的にも有効なものである。
【００１９】
本考案にかかる水車を利用する発電装置は、既存の水車に変速機を装備し、これから小型風力発電用の発電機にVベルト、チェーン等により駆動力を伝達して発電するようにした。これにより、水車により水力を駆動力に変換し、これを既存の小型発電機に伝達して発電するため、風致景観に資するとともに、自然エネルギーである用水路や河川の水流をエネルギー源として活用することが可能となった。ここで図２は、水車を利用する発電装置の実施方法のうち、発電機への動力伝達部を示した図面代用写真である。なお、変速機はトルクは大きいものの速度の小さい水車の回転を高速に変換するもので、通常の歯車機構、ギア機構や遊星歯車機構などが好適に用いられる。
【実施例２】
【００２０】
第２の実施例は、既存の水車に変速機を装備し、これから小型風力発電用の発電機にVベルト、チェーン等により駆動力を伝達して発電するとともに、小型風力発電機に風力発電用の羽根をも装着し、風力によるエネルギーも併用して発電することを特徴とする。
【００２１】
ここでは、図２に示される小型風力発電用の発電機の本来羽根を取り付ける軸に、かかる羽根を逆向きに装着することにより発電と同時に送風も行うことが可能となる。
【００２２】
この様にして得られた風力は、例えばビニールハウスの換気等に有効に利用することが出来る。
【００２３】
第３の実施例は、既存の水車に変速機を装備し、これから小型風力発電用の発電機にVベルト、チェーン等により駆動力を伝達して発電するとともに、Vベルト、チェーン等により駆動力を伝達する経路中で駆動力を別系統に取り出し、別個に羽根を回転させて送風することを特徴とする。この様にして得られた風力も、実施例２同様に有効に利用することが出来る。また、この場合は小型風力発電機に送風して発電することも可能であり、その場合は駆動力を直接伝達しなくても良い。
【００２４】
第４の実施例は、既存の水車に変速機を装備し、これから小型風力発電用の発電機にVベルト、チェーン等により駆動力を伝達して発電する装置を、傾斜地の水路に於いて多段に設置することを特徴とする。かかる構成とすることにより、水力を有効に利用することが出来ると同時に、多くの水車を段々畑の様に配置することで風致景観を著しく改善することが出来る。
【産業上の利用可能性】
【００２５】
本考案の水車を利用する発電装置は、既存の水車に変速機を装備し、これから小型風力発電用の発電機にVベルト、チェーン等により駆動力を伝達して発電するので、水車を活用して発電或いはその他のエネルギー源として有効利用し、併せて日本の田園風景を回復出来るという産業上の効果がある。
【図１】
0003181034.tif 000003
【図２】
0003181034.tif 000004